(57)【要約】【課題】ＣＦタイプＩ形状のカードスロットを有する機器に接続可能で、カードスロットに装着された状態での小型カードの脱落・挿抜を防止できるカード接続用アダプタはなかった。【解決手段】折り曲げ構造を有する回路基板に全ての部品を同一面に実装し、回路基板を対向するまで折り曲げてカードケースに収納し、カード接続用アダプタの小型カードを収容する収容空間の挿入方向に対する鉛直方向上部空間をカードケースで形成することにより、その結果、小型カード用コネクタ部の薄型化が図れＣＦタイプＩ形状のカード接続用アダプタを提供することができる。【選択図】　図１
2004013259.tif 000002
【特許請求の範囲】
【請求項１】
第一の規格であるＣｏｍｐａｃｔＦｌａｓｈ　Ａｓｓｏｃｉａｔｉｏｎの規格に従うＣＦ（ＣｏｍｐａｃｔＦｌａｓｈ）カードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記小型カード収容空間を小型カード挿入方向前端面および挿入方向左右側面を前記第二の規格に従う第二の接続部のハウジングにより形成するとともに、小型カード挿入方向に対する鉛直方向上部空間を前記カードケースで形成することを特徴とするカード接続用アダプタ。
【請求項２】
第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記第二の接続部から、前記第二の規格に従う小型カードが収容されているか否かを検出する検出機構を省略したことを特徴とするカード接続用アダプタ。
【請求項３】
第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路を片面搭載し、かつ、回路基板どうしが対向するまで折り曲げ可能な構造を有するとともに、折り曲げられた回路基板が前記小型カード収容空間を閉塞しない形状であることを特徴とするカード接続用アダプタ。
【請求項４】
第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され、前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路と前記第一の接続部と前記第二の接続部を片面搭載し、かつ、回路基板どうしが対向するまで折り曲げ可能な構造を有するとともに、前記信号処理回路を配した面を前記第二の接続部のコネクタハウジングに設けられた回路基板支持段部に当接固定することで、折り曲げられた前記回路基板間の距離を所定寸法に保持する保持手段を有することを特徴とするカード接続用アダプタ。
【請求項５】
第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され、前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路と前記第一の接続部と前記第二の接続部を片面搭載し、かつ、回路基板どうしが対向するまで折り曲げ可能な構造を有するとともに、前記回路基板を対向するまで折り曲げるとともに、カードケースに貼付された絶縁性を有した接着組成物からなる接着手段によって挟持し、折り曲げられた前記回路基板間の距離を所定寸法に保持する保持手段を有することを特徴とするカード接続用アダプタ。
【請求項６】
第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるカード接続用アダプタであって、前記第一の規格に従う第一の接続部と、
前記第二の規格に従う第二の接続部と、
前記第一の接続部と前記第二の接続部とを電気的に接続するとともにピン配列の変換を行う回路とを搭載した回路基板であることを特徴とした、請求項１、請求項２、請求項３，請求項４，請求項５記載のカード接続用アダプタ。
【発明の詳細な説明】
【０００１】
【発明の属する技術分野】
本発明は着脱可能な小型カードをパーソナルコンピュータ、ＰＤＡ（Ｐｅｒｓｏｎａｌ　Ｄｉｇｉｔａｌ　Ａｓｓｉｓｔａｎｔｓ）およびデジタルスチルカメラなどに代表される携帯型情報機器に接続するカード接続用アダプタに関するものである。
【０００２】
【従来の技術】
近年のノートパソコン（パーソナルコンピュータ）には、ＰＣカードスロットが備えられるのが通常である。このＰＣカードスロットにＰＣカードを装着することによって、ノートパソコンの機能拡張を図ることができる。
【０００３】
ＰＣカードは、ＰＣカードスタンダードに従っており、その外形は、短辺５４．０ｍｍ、長辺８５．６ｍｍの長方形の平面形状を有し、厚さ３．３ｍｍ（タイプＩ）のものと、５．０ｍｍ（タイプＩＩ）のものと、１０．５ｍｍ（タイプＩＩＩ）のものと３種類がある。
【０００４】
一方、ＰＤＡ、デジタルスチルカメラに代表される携帯型情報機器においては、小型化に対する厳しい要求からＰＣカードをそのまま用いることができず、さらに小型のＣＦカードがよく利用される。ＣＦカードの代表例はフラッシュメモリカードであり、デジタルスチルカメラで撮影された画像データや、ＰＤＡにおけるスケジュールやアドレスデータの記憶のために用いられる。
【０００５】
ＣＦカードは、ＣｏｍｐａｃｔＦｌａｓｈ　Ａｓｓｏｃｉａｔｉｏｎの規格に従っており、その外形は、短辺３６．４ｍｍ、長辺４２．５ｍｍの長方形の平面形状を有し、厚さ３．３ｍｍ（タイプＩ）のものと、５．０ｍｍ（タイプＩＩ）のものと２種類がある。しかしながら、最近のＰＤＡ、デジタルスチルカメラにおいては、小型化に有利な厚さ３．３ｍｍ（タイプＩ）のものが多用されている。
【０００６】
一方、デジタルスチルカメラ、シリコンオーディオプレーヤなどにおいては、メモリ機能に特化した小型メモリカードが記憶媒体としてよく用いられるようになってきた。この小型メモリカードは、メモリＩＣチップや制御ＩＣチップをそのまま樹脂封止してパッケージングしたものであり厚さが極めて薄いのが特徴である。このようなメモリカードにはスマートメディアカード、ＭＭＣ（ＭｕｌｔｉＭｅｄｉａＣａｒｄ）などがある。
【０００７】
さらに、小型・大容量・高速読み書き機能に加え著作権保護機能を持つＳＤカードが、近年急速に普及しつつある。
【０００８】
本格的なマルチメディア時代の到来、そして携帯型情報機器の小型化、高機能化志向の高まりにより、携帯型情報機器やノートパソコンが急速に普及している。このことにより、例えば、デジタルスチルカメラで撮影された画像データをノートパソコンに取り込んで編集したり、ＰＤＡとノートパソコンとの間でデータの授受をしたりすることが日常茶飯事化しつつあり、かつ、ＣＦカードや小型メモリカードが、携帯型情報機器の記憶媒体として定着化したにも関わらず、多くのノートパソコンは、ＣＦカードや小型メモリカードをそのまま装着できるスロットを持たない。
【０００９】
そこで、ＣＦカードや小型メモリカードをＰＣカードスタンダードに従って構成されているＰＣカードスロットに接続するためのＰＣカードアダプタが従来から提供されている。
【００１０】
同様に、多くのＰＤＡ、デジタルスチルカメラは、ＭＭＣや近年急速に普及しつつあるＳＤカードといった小型メモリカードをそのまま装着できるスロットを持たない。
【００１１】
しかしながら、３．３ｍｍ（タイプＩ）のＣＦカードスロットを有するＰＤＡ、デジタルスチルカメラに接続するためのＣＦタイプＩアダプタは未だ提供されていない。
【００１２】
その理由として、小型カードの厚みがＣＦタイプＩで規定された厚みに近いため、前記構成ではＣＦタイプＩで規定された厚み以下でカード接続用アダプタを形成することは物理的に困難であったことがあげられる。
【００１３】
ＣｏｍｐａｃｔＦｌａｓｈ　Ａｓｓｏｃｉａｔｉｏｎの規格に従って構成されるＣＦカードスロットを有する機器は、小型カード側に第一の規格と第二の規格との規格相互間の信号内容の変換を行う信号処理回路が備えられるべきことを想定しているため、小型カード内に前記信号処理回路が備えられていなければそのままでは装着することができない。
【００１４】
そこで、ＣＦカードスロットを有する機器に小型カードを接続するためには、規格相互間の信号内容の変換を行う信号処理回路を備えたＣＦカード形状のカード接続用アダプタが必要である。従来のＣＦ形状のカード接続用アダプタは、例えば、特開２０００−２１４９７０公報記載のように、内蔵された配線基板上面に小型カード収容空間とスロット用コネクタが搭載され、その反対側の面である回路基板下面には第一の規格と第二の規格との間の相互の信号変換処理を行うための信号処理回路が形成されるものである。したがって、カード接続用アダプタの厚み寸法は、小型カード収容空間またはスロット用コネクタと回路基板と前記信号処理回路用の部品とカード接続用アダプタの上下面をそれぞれ覆う金属カバーが隙間なく積み上げられて形成されたとき最薄寸法となるが、小型カードの厚みがＣＦタイプＩで規定された厚みに近いため、前記構成ではＣＦタイプＩで規定された厚み以下でカード接続用アダプタを形成することは物理的に困難であり、特開２０００−２１４９７０公報記載のようにＣＦタイプＩＩ（ＣｏｍｐａｃｔＦｌａｓｈ　Ａｓｓｏｃｉａｔｉｏｎで規格化された短辺３６．４ｍｍ、長辺４２．５ｍｍ、厚み５．０ｍｍの形状）形状で実現していた。
【００１５】
または、カード接続用アダプタをＣＦタイプＩ形状スロットを有する機器に接続可能とするために、カード接続用アダプタの挿入方向に対する幅と厚みをＣＦタイプＩで規格化された寸法で実現し、挿入方向に沿う長さ方向の寸法をＣＦタイプＩで規格化された寸法より延長することで実現していた。
【００１６】
同様に、小型カードをカード収容空間外に突出させることによりＣＦタイプＩ形状のカード接続用アダプタを実現したものも存在する。
【００１７】
【発明が解決しようとする課題】
ＣＦタイプＩ形状スロットを有する機器に接続可能であり、かつ、ＣＦタイプＩ形状内に小型カード収容空間および前記信号処理回路の全てを収容し、小型カードがカード接続用アダプタより突出しないように形成したＣＦタイプＩ形状のアダプタを商品化することは、小型カードの厚みがＣＦタイプＩで規定された厚みに近いため、物理的に困難であった。
【００１８】
しかしながら、特開２０００−２１４９７０公報記載のようなＣＦタイプＩＩ形状でカード接続用アダプタを実現しても、ＰＤＡやデジタルスチルカメラに代表される携帯型情報機器においては小型化に対する厳しい要求からＣＦタイプＩ形状のスロットが備えられることが多いため、ＣＦタイプＩＩ形状のアダプタを接続することができない機器が多数存在した。
【００１９】
また、携帯型情報機器の多くがカードスロット保護のため開口部に蓋を配設しており、加えて、機器の一部においては蓋が閉塞された事を検出する機能を備え、蓋が完全に閉塞されなければ作動しない機器が存在する。カードスロットに沿う長さ方向の寸法が延長されたカード接続用アダプタや、アダプタ自身の形状はＣＦタイプＩ形状で実現されていてもアダプタ後端から小型カードが突出するようなカード接続用アダプタでは、このような機器で使用することができない。
【００２０】
また、一般的なカード接続用アダプタは、アダプタ後端から小型カードを収容する構造をとるものが大多数である。ところが前述のような構造では、カード接続用アダプタに装着された小型カードの一部が露出しており、何らかの外力により小型カードがカード接続用アダプタから脱落する可能性があった。特開２０００−２１４９７０公報記載のアダプタのように一部のカード接続用アダプタにおいては、アダプタ構造により前述の課題を解決することで小型カードへの電源供給制御、いわゆる活線挿抜への配慮が簡素化されていたが、小型カードの挿抜検出は必須となっていた。
【００２１】
本発明はこのような従来の課題を解決するものであり、ＣＦタイプＩ形状内に小型カード収容空間および前記信号処理回路の全てを収容し、小型カードがカード接続用アダプタより突出しないように形成したＣＦタイプＩ形状のアダプタを提供することを第１の目的とする。
【００２２】
カード接続用アダプタがカードスロットに装着された状態では小型カードの脱落防止や挿抜禁止可能なアダプタ構造とすることで信頼性を向上させ、かつ、小型カードへの電源供給制御の簡素化と小型カードの挿抜検出を不要とすることで、構造の簡略化を果たした接続用アダプタを提供することを第２の目的とする。
【００２３】
【課題を解決するための手段】
本発明のカード接続用アダプタは、所定の第一の規格であるＣｏｍｐａｃｔＦｌａｓｈ　Ａｓｓｏｃｉａｔｉｏｎの規格に従うＣＦ（ＣｏｍｐａｃｔＦｌａｓｈ）カードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記小型カード収容空間を小型カード挿入方向前端面および挿入方向左右側面を前記第二の規格に従う第二の接続部のハウジングにより形成するとともに、小型カード挿入方向に対する鉛直方向上部空間を前記カードケースで形成することを特徴とする。
【００２４】
本発明のカード接続用アダプタは、第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記第二の接続部から、前記第二の規格に従う小型カードが収容されているか否かを検出する検出機構を省略したことを特徴とする。
【００２５】
本発明のカード接続用アダプタは、所定の第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路を片面搭載し、かつ、回路基板どうしが対向するまで折り曲げ可能な構造を有するとともに、折り曲げられた回路基板が前記小型カード収容空間を閉塞しない形状であることを特徴とする。
【００２６】
本発明のカード接続用アダプタは、所定の第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され、前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路と前記第一の接続部と前記第二の接続部を片面搭載し、かつ、回路基板どうしが対向するまで折り曲げ可能な構造を有するとともに、前記信号処理回路を配した面を前記第二の接続部のコネクタハウジングに設けられた回路基板支持段部に当接固定することで、折り曲げられた前記回路基板間の距離を所定寸法に保持する保持手段を有することを特徴とする。
【００２７】
本発明のカード接続用アダプタは、第一の規格であるＣｏｍｐａｃｔＦｌａｓｈ　Ａｓｓｏｃｉａｔｉｏｎの規格に従うＣＦカードスロットに、第一の規格とは異なる第二の規格に従う小型カードを接続するために用いられるアダプタであって、
前記第一の規格に従う第一の接続部と、
前記第二の規格に従う第二の接続部と、
前記第一の接続部および前記第二の接続部に接続され、前記第一の規格に従う信号と前記第二の信号に従う信号との間で信号変換を行う信号処理回路とを搭載した回路基板と、
前記回路基板を保持しているとともに、前記第一の規格に従うカードスロットへの装着方向とは直交する方向に開口した小型カード挿入口を有し、この小型カード挿入口から前記第二の規格に従う小型カードを収容する小型カード収容空間を保持するカードケースと、
前記回路基板は同一面に前記信号処理回路と前記第一の接続部と前記第二の接続部を片面搭載し、かつ、回路基板どうしが対向するまで折り曲げ可能な構造を有するとともに、前記回路基板を対向するまで折り曲げるとともに、カードケースに貼付された絶縁性を有した接着組成物からなる接着手段によって挟持し、折り曲げられた前記回路基板間の距離を所定寸法に保持する保持手段を有することを特徴とする。
【００２８】
なお、上記カード接続アダプタの他の発明としては、前記第一の接続部と前記第二の接続部とを電気的に接続するとともにピン配列の変換を行う回路とを搭載した回路基板であることを特徴としたものである。
【００２９】
【発明の実施の形態】
以下、図を参照しながら、本発明のカード接続用アダプタについて説明する。図１はカード接続用アダプタ（１）の外観構成を示す斜視図で、（２）はカードケースＡ、（３）はカードケースＢ、（５）はＣＦスロット用コネクタ、（７ａ）はカード挿入口、（１００）はＳＤカード、（１０１）はＳＤカード（１００）の側面に設けたライトプロテクトスイッチ、（Ｘ）はＳＤカード挿入方向、（Ｙ）は各種機器への本アダプタ挿入方向である。
【００３０】
図２は図１に示すＡ−Ａにおける断面図で、カードケースＡ（２）およびカードケースＢ（３）は、樹脂フレームＡ（２ａ）および樹脂フレームＢ（３ａ）に、金属カバーＡ（２ｂ）および金属カバーＢ（３ｂ）を一体成型したもので、樹脂フレームＡ（２ａ）と樹脂フレームＢ（３ａ）が超音波溶着により接合される。
【００３１】
カードケースＡ（２）およびカードケースＢ（３）は、信号処理回路（図示せず）を含む回路基板（４）への外部電波ノイズや静電気の侵入防止や、回路基板（４）からの放射ノイズを遮断するために、金属カバーＡ（２ｂ）および金属カバーＢ（３ｂ）が一体成型されている。
【００３２】
回路基板（４）は、カードケースＡ（２）およびカードケースＢ（３）で挟持されるので、金属カバーＡ（２ｂ）および金属カバーＢ（３ｂ）と回路基板（４）は当接する。したがって、図３に示す絶縁シートＡ（８）により、メインキバン（４ａ）とメインキバン（４ａ）に当接する金属カバーＡ（２ｂ）との電気的な絶縁を保つ。また、図３に示す絶縁シートＢ（９）により、サブキバン（４ｂ）とサブキバン（４ｂ）に当接する金属カバーＢ（３ｂ）との電気的な絶縁を保つ。
【００３３】
図３は図１に示すカード接続用アダプタ（１）の分解斜視図で、（４）は信号処理回路（図示せず）を含む回路基板でメインキバン（４ａ）、サブキバン（４ｂ）およびフレックス部（４ｃ）から構成される。（５）はＣＦスロット用コネクタ、（６）はＳＤカード用コネクタで図４に示す回路基板支持段部Ａ（６ａ）、図４に示す回路基板支持段部Ｂ（６ｂ）、端子（６ｃ）、図４に示すライトプロテクトスイッチ用端子（６ｄ）、ガイドＡ（６ｅ）、ガイドＢ（６ｆ）およびガイドＣ（６ｇ）から構成される。（７ａ）はカード挿入口、（８）は絶縁シートＡ、（９）は絶縁シートＢ、（１０）は制御ＩＣである。
【００３４】
ＳＤカード用コネクタ（６）の回路基板支持段部Ａ（６ａ）および回路基板支持段部Ｂ（６ｂ）は、回路基板（４）を対向するまで折り曲げたとき、回路基板支持段部Ａ（６ａ）には回路基板（４）の４ｄ部が当接し、回路基板支持段部Ｂ（６ｂ）には回路基板（４）の４ｅ部が当接する構造となっている。
【００３５】
図４は図３に示す回路基板（４）の概略を示す全体図で、ＳＤカード収容空間（７）は、このカード接続用アダプタ構成時に、ＳＤカード用コネクタ（６）のガイドＡ（６ｅ）、ガイドＢ（６ｆ）およびガイドＣ（６ｇ）によって形成される。
【００３６】
図５は図４に示す回路基板（４）の折り曲げ前、すなわちカードケース内に収容される前の状態を示す側面図である。
【００３７】
図６は図４に示す回路基板（４）を折り曲げた状態の平面図である。
【００３８】
図７は図４に示す回路基板（４）を折り曲げた状態を示す側面図である。
【００３９】
図８は図６に示すＢ−Ｂにおける断面図である。
【００４０】
図９は本発明の回路基板を折り曲げた状態の構成を拡大して示す要部側面図である。
【００４１】
図１０は本発明の第二の実施例に係るカード接続用アダプタの分解斜視図で、回路基板（４）を折り曲げてカードケース内に収容固定する際に、ＳＤカード用コネクタ（６）に回路基板（４）を支持する支持段部を設けることなくカードケース内面に設けた絶縁性を有した接着組成物からなる接着手段により固定する方法に係るものであり、例えば、（１１）はポリブデン等のゴム系粘着・接着組成物を配した樹脂製の粘着シートＡ、（１２）はポリブデン等のゴム系粘着・接着組成物を配した樹脂製の粘着シートＢであり、請求項１記載の構成については図３に示すように、ＳＤカード用コネクタ（６）に設けたガイドＡ（６ｅ）、ガイドＢ（６ｆ）、ガイドＣ（６ｇ）および金属カバーＡ（２ｂ）で小型カード収容空間を形成するものである。
【００４２】
請求項２記載の構成については図１に示すように、ＳＤカード挿入方向（Ｘ）と本アダプタ挿入方向（Ｙ）を直交させたことにより、このカード接続用アダプタ（１）がカードスロットに装着された状態ではＳＤカード（１００）の活線挿抜を禁止できるので、図４に示すように、ＳＤカード用コネクタ（６）からＳＤカード（１００）への電源供給・電源遮断を切り換えたり、小型カードが収容されているか否かを検出したりする機構を省略したものである。
【００４３】
請求項３記載の構成については図４に示す回路基板（４）のメインキバン（４ａ）が、図５に示すように、サブキバン（４ｂ）と対向するまで折り曲げられたとき、図６に示すようにＳＤカード用収容空間（７）を閉塞しないような略Ｌ字形状とするものである。
【００４４】
請求項４記載の構成については図５、図６に示すように、サブキバン（４ｂ）と対向するまで折り曲げられたメインキバン（４ａ）が、図４に示すＳＤカード用コネクタ（６）に設けられた回路基板支持段部Ａ（６ａ）、回路基板支持段部Ｂ（６ｂ）に回路基板（４）の４ｄ部、４ｅ部が当接する構造とすることにより、図９に示す回路基板間の対向距離（Ｚ）を所定の寸法に保持するものである。
【００４５】
請求項５記載の構成については図５、図６に示すように、サブキバン（４ｂ）と対向するまで折り曲げられたメインキバン（４ａ）が、図１０に示す金属カバーＡ（２ｂ）に設けられたポリブデン等のゴム系粘着・接着組成物を配した樹脂製の粘着シートＡ（１１）、および金属カバーＢ（３ｂ）に設けられたポリブデン等のゴム系粘着・接着組成物を配した樹脂製の粘着シートＢ（１２）により、図９に示す回路基板間の対向距離（Ｚ）を所定の寸法に保持するものである。
【００４６】
請求項６記載の第２の発明の構成については図４に示す回路基板（４）に、制御ＩＣ（１０）に代表される前記第一の接続部および前記第二の接続部に接続され、前記第一の規格に従う信号と前記第二の信号に従う信号との間で信号変換を行う信号処理回路（図示せず）を搭載せず、前記第一の接続部と前記第二の接続部とを電気的に接続するとともにピン配列の変換を行う回路とを搭載した構成としたものに、請求項１、請求項２、請求項３、請求項４および請求項５の内容を適用したものである。
【００４７】
以下、本発明品の第１の発明について構成をさらに詳細に説明する。
【００４８】
カード接続用アダプタ（１）は、カードケースＡ（２）およびカードケースＢ（３）を超音波溶着にて接合し、カードケースとして組み立てる。
【００４９】
カードケースＡ（２）およびカードケースＢ（３）は、樹脂フレームＡ（２ａ）および樹脂フレームＢ（３ａ）に、金属カバーＡ（２ｂ）および金属カバーＢ（３ｂ）を一体成型したものから構成され、樹脂フレームＡ（２ａ）と樹脂フレームＢ（３ａ）が超音波溶着により接合される。
【００５０】
主要部である信号処理回路（図示せず）を含む回路基板（４）は折り曲げられた状態で、カードケースＡ（２）およびカードケースＢ（３）を超音波溶着にて接合したカードケースにより挟持される。
【００５１】
第一の規格に従う第一の接続部であるＣＦスロット用コネクタ（５）は、ＣＦタイプＩカードスロットと対向する前端面に配置されており、ＳＤカード（１００）を装着するためのＳＤカード挿入口（７ａ）は一側面に形成されているので、カード接続用アダプタ（１）に対するＳＤカード（１００）の挿入方向（Ｘ）と、ＣＦタイプＩカードスロットに対するカード接続用アダプタ（１）の挿入方向（Ｙ）とは互いに直交する構成となっている。
【００５２】
本実施例において、第二の規格に従う第二の接続部であるＳＤカード用コネクタ（６）の上部（ＳＤカード挿入口（７ａ）から見て鉛直方向上部）は、金属カバーＡ（２ｂ）と接している。従って、ＳＤカード収容空間（７）にＳＤカード（１００）が収容されたとき、ＳＤカード（１００）は、ＳＤカード用コネクタ（６）と金属カバーＡ（２ｂ）により保持される。このことにより、ＳＤカード用コネクタ（６）上面から、ＳＤカード（１００）の押さえを形成不要とすることで、ＳＤカード用コネクタ（６）の厚みを最小としている。
【００５３】
カードケースＡ（２）およびカードケースＢ（３）は、回路基板（４）への外部電波ノイズや静電気の侵入防止や、回路基板（４）からの放射ノイズを遮断するために、金属カバーＡ（２ｂ）および金属カバーＢ（３ｂ）が一体成型されている。
【００５４】
回路基板（４）は、カードケースＡ（２）およびカードケースＢ（３）で挟持されるため、金属カバーＡ（２ｂ）と金属カバーＢ（３ｂ）と当接する。絶縁シートＡ（８）により、メインキバン（４ａ）とメインキバン（４ａ）に当接する金属カバーＡ（２ｂ）との電気的な絶縁を保つ。また、絶縁シートＢ（９）により、サブキバン（４ｂ）とサブキバン（４ｂ）に当接する金属カバーＢ（３ｂ）との電気的な絶縁を保つ。
【００５５】
ＳＤカード収容空間（７）の奥部には、カード接続用アダプタ（１）の主要部である回路基板（４）に面実装されたＳＤカード用コネクタ（６）が配置されている。従って、カード挿入口（７ａ）からＳＤカード（１００）を挿入することにより、カード接続用アダプタ（１）に機械的、電気的に結合される。
【００５６】
ＳＤカード（１００）は、ＩＣ（図示せず）を樹脂封止し、底面に複数個の端子部（図示せず）を配置した薄板状のカードである。
【００５７】
カード接続用アダプタ（１）内には回路基板（４）を有し、回路基板（４）は、図４と図５に示すようにメインキバン（４ａ）と、サブキバン（４ｂ）と、メインキバン（４ａ）とサブキバン（４ｂ）の間を接続するフレックス部（４ｃ）から構成される。
【００５８】
メインキバン（４ａ）は、主に制御ＩＣ（１０）とその周辺回路（図示せず）を搭載し、平面視において略Ｌ字型に形成される。
【００５９】
サブキバン（４ｂ）は、主にＣＦスロット用コネクタ（５）と、ＳＤカード用コネクタ（６）とその周辺回路（図示せず）を搭載する。
【００６０】
フレックス部（４ｃ）は、メインキバン（４ａ）とサブキバン（４ｂ）の間の回路配線を構成する配線導体（図示せず）が形成される。
【００６１】
回路基板（４）は、前記第一の規格に従うＣＦスロット用コネクタ（５）と、前記第二の規格に従うＳＤカード用コネクタ（６）と、主に制御ＩＣ（１０）とその周辺回路（図示せず）から構成される信号処理回路（図示せず）とを保持している。
【００６２】
なお、第一の規格に従うカードスロットを有する機器で、第二の規格に従う小型カードを使用可能とするためには、カードスロットを有する機器内もしくは第二の規格に従う小型カード内もしくは小型カードを収容するカード接続用アダプタ内に前記信号処理回路が必要となるため、カード接続用アダプタ内に信号処理回路（図示せず）を配設するものである。
【００６３】
信号処理回路（図示せず）には回路基板（４）のパターン配線によって、ＣＦスロット用コネクタ（５）より第一の規格に従い入出力される信号と、ＳＤカード用コネクタ（６）より第二の規格に従い入出力される信号とが電気的に接続され、信号処理回路（図示せず）により規格相互間の信号内容の変換が行われる。
【００６４】
サブキバン（４ｂ）に搭載されたＳＤカード用コネクタ（６）には、ＳＤカード（１００）の底面に配設された端子（図示せず）に対応した端子（６ｃ）と、ＳＤカード（１００）の側面に配設されたライトプロテクトスイッチ（１０１）に対応するライトプロテクトスイッチ用端子（６ｄ）とを備える。端子（６ｃ）とライトプロテクトスイッチ用端子（６ｄ）は、ばね性を持つ導電材料で構成される。
【００６５】
ＳＤカード用コネクタ（６）のハウジング外周部上面には、回路基板支持段部Ａ（６ａ）および回路基板支持段部Ｂ（６ｂ）を設けており、回路基板の厚み分段差を形成し、回路基板（４）を対向するまで折り曲げたときメインキバン（４ａ）の４ｄ部および４ｅ部を保持するとともに、２つ折りにされ対向するメインキバン（４ａ）とサブキバン（４ｂ）の回路基板間の対向距離（Ｚ）を所定の寸法とする構造となっている。
【００６６】
ＳＤカード用コネクタ（６）内面には、ガイドＡ（６ｅ）、ガイドＢ（６ｆ）、およびガイドＣ（６ｇ）を形成し、これによりＳＤカード（１００）の挿入方向前面および挿入方向左右側面の位置を規制する構造としている。
【００６７】
ＳＤカード挿入方向（Ｘ）と本アダプタ挿入方向（Ｙ）を直交させたことにより、ＳＤカード（１００）の挿抜は、このカード接続用アダプタ（１）をカードスロットから取り外した状態でのみ可能であるので、カード接続用アダプタ（１）が本体機器（図示せず）に接続された状態（活線状態）でのＳＤカード（１００）の挿抜（活線挿抜）を保証する必要はないため、ＳＤカード用コネクタ（６）からＳＤカード（１００）への電源供給・電源遮断を切り換えたり、ＳＤカード（１００）が収容されているか否かを検出したりするのに必要となる挿抜検出用端子は設けていない。
【００６８】
ＳＤカード用コネクタ（６）のハウジング外周部上面に設けた回路基板支持段部Ａ（６ａ）および回路基板支持段部Ｂ（６ｂ）により回路基板の厚み分段差を形成し、２つ折りにされ対向するメインキバン（４ａ）とサブキバン（４ｂ）の回路基板間の対向距離（Ｚ）を所定の寸法とする。
【００６９】
このとき、メインキバン（４ａ）に実装された部品とサブキバン（４ｂ）に実装された部品が対向することにより衝突しないよう配置することも重要な要素である。すなわち、２つ折りにしたときに対向する部品の高さの和が、回路基板間の対向距離（Ｚ）を超えないよう３次元の配置設計をする必要がある。
【００７０】
図６から図８において、回路基板（４）は、フレックス部（４ｃ）を起点としてメインキバン（４ａ）とサブキバン（４ｂ）が対向するまで折り曲げられ、カード接続用アダプタ（１）内に収容された状態を示す。メインキバン（４ａ）はその形状を略Ｌ字型に形成されているため、メインキバン（４ａ）とサブキバン（４ｂ）を対向するまで折り曲げても、ＳＤカード用コネクタ（６）の上部を開放する。メインキバン（４ａ）がＳＤカード用コネクタ（６）を覆わないためこのカード接続用アダプタ（１）の厚みは、金属カバーＡ（２ｂ）とＳＤカード用コネクタ（６）とサブキバン（４ｂ）と絶縁シートＢ（９）および金属カバーＢ（３ｂ）を積み上げた高さに等しい。すなわち、メインキバン（４ａ）の厚みがこれに加わらないようすることで、このカード接続用アダプタ（１）の厚みを薄くしている。
【００７１】
なお、上述の実施形態では回路基板（４）が、メインキバン（４ａ）と、サブキバン（４ｂ）と、メインキバン（４ａ）とサブキバン（４ｂ）の間を接続するフレックス部（４ｃ）から構成されているが、メインキバン（４ａ）とサブキバン（４ｂ）をひとつに集約し、フレックス部（４ｃ）を不要とすることも可能である。
【００７２】
次に、回路基板（４）を折り曲げたとき、メインキバン（４ａ）とサブキバン（４ｂ）の距離を所定寸法とする第２の実施例について説明する。
【００７３】
図１０において、この第二の実施例に係るカード接続用アダプタと、前記した第一の実施例に係るカード接続用アダプタとの相違点は、ＳＤカード用コネクタ（６）のハウジング外周部上面に、回路基板支持段部Ａ（６ａ）および回路基板支持段部ｂ（６ｂ）が形成されないかわりに絶縁性を有した接着組成物からなる接着手段により実施するもので、例えばメインキバン（４ａ）に当接する金属カバーＡ（２ｂ）内側に貼付されたポリブデン等のゴム系粘着・接着組成物を配した樹脂製の粘着シート（１１）およびサブキバン（４ｂ）に当接する金属カバーＢ（３ｂ）に貼付されたポリブデン等のゴム系粘着・接着組成物を配した樹脂製の粘着シート（１２）により、折り曲げられた前記回路基板間の対向距離（Ｚ）を所定寸法とする保持手段を有することにある。この構成の場合、第１の実施例で説明した絶縁シートＡ（８）、絶縁シートＢ（９）は不要となる。
【００７４】
上述の実施形態においても、ポリブデン等のゴム系粘着・接着組成物を配した樹脂製の粘着シートではなくとも接着固定する保持手段に好適に種々の設計変更を施すことが可能であることは言うまでもない。
【００７５】
なお、本発明の他の発明として回路基板（４）は信号処理回路（図示せず）を搭載せず、パターン配線によってＣＦスロット用コネクタ（５）とＳＤカード用コネクタ（６）とを電気的に接続し、信号変換を実施することなくピン配列の変換を行う回路基板であっても、上述の実施形態を組み合わせることが可能であることも言うまでもない。
【００７６】
次に動作について説明する。
【００７７】
カード接続用アダプタ（１）は、第一の規格であるＣｏｍｐａｃｔＦｌａｓｈＡｓｓｏｃｉａｔｉｏｎの規格に従うＣＦタイプＩの形状と同等の外形を有しており、その内部には、第二の規格であるＳＤ　Ｃａｒｄ　Ａｓｓｏｃｉａｔｉｏｎの規格に従うＳＤカード（１００）を収容する為のＳＤカード収容空間（７）を有している。ＳＤカード（１００）は、ＳＤカード収容空間（７）内に突出することなく収納されるため、ＳＤカード（１００）が結合されたこのカード接続用アダプタ（１）は、ＣＦタイプＩカードを構成することが可能となる。
【００７８】
従って、ＣＦタイプＩカードスロットを有するＰＤＡやデジタルスチルカメラなどでカード接続用アダプタ（１）を装着することにより、ＳＤカード（１００）が使用可能となる。
【００７９】
また、第一の規格に従う第一の接続部であるＣＦスロット用コネクタ（５）は、ＣＦタイプＩカードスロットと対向する前端面に配置されており、ＳＤカード（１００）を装着するためのＳＤカード挿入口（７ａ）は一側面に形成されているので、カード接続用アダプタ（１）に対するＳＤカード（１００）の挿入方向（Ｘ）と、ＣＦタイプＩカードスロットに対するカード接続用アダプタの挿入方向（Ｙ）とは互いに直交する構成となっているので、カード接続用アダプタ（１）がＣＦタイプＩカードスロットに装着された状態では、ＳＤカード（１００）の挿抜が不可能であるため、いわゆる活線挿抜への配慮が不要となり、ＳＤカード（１００）の挿抜検出を不要とすることができるので、カード接続用アダプタ（１）の設計が容易となる。このことにより、ＳＤカード用コネクタ（６）の構造が簡略化されるとともに信頼性の向上を図ることが可能となる。
【００８０】
なお、上述の実施形態ではＳＤカードとの組み合わせについて説明したが、マルチメディアカード規格に従うマルチメディアカードとも組み合わせ可能である。
【００８１】
【発明の効果】
以上のように本発明によれば、請求項１記載のように、第二の規格に従う小型カードを収容する小型カード収容空間を、前記小型カード収容空間の小型カード挿入方向前端面および挿入方向左右側面を前記第二の規格に従う第二の接続部のハウジングにより形成し、小型カード挿入方向に対する鉛直方向上部空間をカードケースで形成すれば小型カード用コネクタの薄型化が図れ、ＣＦタイプＩで規格化された厚み寸法で第一の規格と第二の規格との間の規格相互間の信号内容の変換を行う信号処理回路を備えたカード接続用アダプタを実現することが可能となる。
【００８２】
請求項２記載のように、第一の規格に従う第一の接続部であるＣＦスロット用コネクタは、ＣＦタイプＩカードスロットと対向する前端面に配置されており、第二の規格に従う小型カードを装着するための小型カード挿入口は一側面に形成されているので、カード接続用アダプタに対する小型カードの挿入方向と、ＣＦタイプＩカードスロットに対するカード接続用アダプタの挿入方向とは互いに直交する構成となっているので、カード接続用アダプタがＣＦタイプＩカードスロットに装着された状態では小型カードの挿抜が不可能であるため、第二の規格に従う第二の接続部から、第二の規格に従う小型カードが収容されているか否かを検出する検出手段を省略することが可能となり、前記第二の接続部の小型化および構造の簡略化が図れ、前記第二の接続部を安価にすることができるとともに、第一の規格と第二の規格との間の規格相互間の信号内容の変換を行う信号処理回路を備えたＣＦタイプＩ形状のカード接続用アダプタの実現において、前記信号処理回路の構成部品の部品配置が容易となる。
【００８３】
請求項３記載のように、第一の規格と第二の規格との間の規格相互間の信号内容の変換を行う信号処理回路を備えたＣＦタイプＩ形状のカード接続用アダプタにおいて、回路基板には前記信号処理回路を片面搭載し、折り曲げてカードケースに収容し、折り曲げた上面側の基板は小型カード収容空間部分が切除されていれば、回路基板の厚み制限が緩和され、薄板構造の回路基板を使用する必要がなくなる。
【００８４】
請求項４記載のように、第一の規格と第二の規格との間の規格相互間の信号内容の変換を行う信号処理回路と、第一の規格のカードスロットへの装着方向とは直交する方向に第二の規格に従う小型カードを収容する小型カード収容空間が形成されたカードケースを有するＣＦタイプＩ形状のカード接続用アダプタにおいて、回路基板の同一面に、前記信号処理回路と第一の接続部と第二の接続部を片面搭載するとともに、回路基板をカードケースに折り曲げて回路基板が対向するまで２つ折り収納するとき、第二の接続部のコネクタハウジングに設けられた回路基板支持段部により支持することで、２つ折りされた回路基板間の距離を保つことにより、対向する部品同士が衝突し損傷したりすることがなく、電気的絶縁のための別部材を配設することを不要とする。
【００８５】
請求項５記載のように、第一の規格と第二の規格との間の規格相互間の信号内容の変換を行う信号処理回路と、第一の規格のカードスロットへの装着方向とは直交する方向に第二の規格に従う小型カードを収容する小型カード収容空間が形成されたカードケースを有するＣＦタイプＩ形状のカード接続用アダプタにおいて、回路基板の同一面に、前記信号処理回路と第一の接続部と第二の接続部を片面搭載するとともに、回路基板をカードケースに折り曲げて回路基板が対向するまで２つ折り収納するとき、前記回路基板を挟持するカードケースに貼付された絶縁性を有した接着組成物からなる接着手段、例えばポリブデン等のゴム系粘着・接着組成物を配した樹脂製の接着シートによって、折り曲げられた前記回路基板間の距離を保つことにより、対向する部品同士が衝突し損傷したりすることがなく、また、電気的絶縁のための絶縁シートを配設することを不要とする。
【００８６】
本発明によれば、請求項６記載のように、第一の規格と第二の規格との間のピン配列の変換を行うカード接続用アダプタにおいても、ＣＦタイプＩで規格化された厚み寸法でカード接続用アダプタを実現することが可能となる。
【図面の簡単な説明】
【図１】本発明の実施形態に係るカード接続用アダプタの外観構成を示す斜視図
【図２】図１のカード接続用アダプタのＡ−Ａ断面図
【図３】図１のカード接続用アダプタの分解斜視図
【図４】本発明の回路基板の全体図
【図５】本発明の回路基板の側面図
【図６】本発明の回路基板を折り曲げた状態の平面図
【図７】本発明の回路基板を折り曲げた状態の側面図
【図８】本発明の回路基板のＢ−Ｂ断面図
【図９】本発明の回路基板を折り曲げた状態の構成を拡大して示す要部側面図
【図１０】本発明の第二の実施例に係るカード接続用アダプタの分解斜視図
【符号の説明】
（１）カード接続用アダプタ
（２）カードケースＡ
（２ａ）樹脂フレームＡ
（２ｂ）金属カバーＡ
（３）カードケースＢ
（３ａ）樹脂フレームＢ
（３ｂ）金属カバーＢ
（４）回路基板
（４ａ）メインキバン
（４ｂ）サブキバン
（４ｃ）フレックス部
（４ｄ）（回路基板支持段部Ａ　当接部分）
（４ｅ）（回路基板支持段部Ｂ　当接部分）
（５）ＣＦスロット用コネクタ
（６）ＳＤカード用コネクタ
（６ａ）回路基板支持段部Ａ
（６ｂ）回路基板支持段部Ｂ
（６ｃ）端子
（６ｄ）ライトプロテクトスイッチ用端子
（６ｅ）ガイドＡ
（６ｆ）ガイドＢ
（６ｇ）ガイドＣ
（７）ＳＤカード収容空間
（７ａ）カード挿入口
（８）絶縁シートＡ
（９）絶縁シートＢ
（１０）制御ＩＣ
（１１）粘着シートＡ
（１２）粘着シートＢ
（１００）ＳＤカード
（１０１）ライトプロテクトスイッチ
（Ｘ）ＳＤカード挿入方向
（Ｙ）本アダプタ挿入方向
（Ｚ）回路基板間の対向距離
【図１】
2004013259.tif 000003
【図２】
2004013259.tif 000004
【図３】
2004013259.tif 000005
【図４】
2004013259.tif 000006
【図５】
2004013259.tif 000007
【図６】
2004013259.tif 000008
【図７】
2004013259.tif 000009
【図８】
2004013259.tif 000010
【図９】
2004013259.tif 000011
【図１０】
2004013259.tif 000012